(57)【要約】【課題】より少ない手順で、より簡単に、より直感的に所望のチャンネルを選局する。【解決手段】登録処理部９１は、予め定めた時間より長く視聴された番組のチャンネルを特定する情報であるチャンネル情報の記憶を制御する。タブ表示制御部９２は、視聴している番組の画像に重畳する、記憶されているチャンネル情報で特定されるチャンネルを示すタブの表示を制御する。選局処理部９３は、タブが選択された場合、選択されたタブで示されるチャンネルを選局するように選局を制御する。本発明は、テレビジョン受像機に適用できる。【選択図】図２
2007311947.tif 000002
【特許請求の範囲】
【請求項１】
予め定めた時間より長く視聴された番組のチャンネルを特定する情報であるチャンネル情報の記憶を制御する記憶制御手段と、
視聴している番組の画像に重畳する、記憶されている前記チャンネル情報で特定されるチャンネルを示すタブの表示を制御する表示制御手段と、
前記タブが選択された場合、選択された前記タブで示されるチャンネルを選局するように選局を制御する選局制御手段と
を備える受信装置。
【請求項２】
前記記憶制御手段は、前記チャンネル情報で特定されるチャンネルで放送されている番組の終了時刻を示す終了時刻情報を前記チャンネル情報と共に記憶し前記終了時刻情報に基づいて、前記番組が終了した場合、前記チャンネル情報および前記終了時刻情報を削除するように前記チャンネル情報および前記終了時刻情報の記憶を制御する
請求項１に記載の受信装置。
【請求項３】
チャンネルの番組の画像のサムネイル画像を生成する生成手段をさらに備え、前記表示制御手段は、前記サムネイル画像を含む前記タブの表示を制御する
請求項１に記載の受信装置。
【請求項４】
前記表示制御手段は、前記タブを多段タブとして表示するように前記タブの表示を制御する
請求項１に記載の受信装置。
【請求項５】
予め定めた時間より長く視聴された番組のチャンネルを特定する情報であるチャンネル情報の記憶を制御し、
視聴している番組の画像に重畳する、記憶されている前記チャンネル情報で特定されるチャンネルを示すタブの表示を制御し、
前記タブが選択された場合、選択された前記タブで示されるチャンネルを選局するように選局を制御する
ステップを含む受信方法。
【請求項６】
予め定めた時間より長く視聴された番組のチャンネルを特定する情報であるチャンネル情報の記憶を制御し、
視聴している番組の画像に重畳する、記憶されている前記チャンネル情報で特定されるチャンネルを示すタブの表示を制御し、
前記タブが選択された場合、選択された前記タブで示されるチャンネルを選局するように選局を制御する
ステップをコンピュータに実行させるプログラム。
【発明の詳細な説明】
【技術分野】
【０００１】
本発明は受信装置および方法、並びにプログラムに関し、特に、番組を受信する受信装置および方法、並びにプログラムに関する。
【背景技術】
【０００２】
従来のアナログテレビジョン放送の番組を受信し、その番組を表示するテレビジョン受像機を使用している場合、視聴者は、同じ時間に放送されている複数の番組を短時間で切り替えて平行して視聴したいとき（いわゆる、ザッピングするとき）、リモートコマンダに設けられている、予め決められたチャンネルを選局するためのキーを押下することで各チャンネルをダイレクト選局したり、リモートコマンダに設けられている、現在選局されているチャンネルのチャンネル番号に対して、大きいチャンネル番号または小さいチャンネル番号のチャンネルであって、放送に使用されているチャンネルを選局するためのキーである＋／−キーを押下することでチャンネルを切り替えてきた。
【０００３】
また、視聴者は、同じ時間において、BS（Broadcasting Satellite）放送で放送されている番組や、CS（Communications Satellite）放送で放送されている番組や、地上波放送で放送されている番組を平行して視聴したい場合、リモートコマンダに設けられている、BS放送、CS放送、または地上波放送のいずれかであるメディアを変更させるキーと数字キーとを組み合わせて操作することで、テレビジョン受像機に所望のチャンネルに切り替えさせていた。
【０００４】
従来は、視聴者が、番組を選択するために各番組の映像を順次視聴した場合、順次視聴した番組のシーンをキャプチャした静止画フレームのリストを利用することにより、所望の番組を選択するものもある（例えば、特許文献１参照）。
【０００５】
また、視聴者の視聴履歴から、お好み番組表およびお勧め番組表を作成し、通常の番組表とお好み番組表とお勧め番組表をタブで切り替えるようにしているものもある（例えば、特許文献２参照）。
【０００６】
【特許文献１】特開２００５−１５９５２１号公報
【０００７】
【特許文献２】特開２００４−７２４８６号公報
【発明の開示】
【発明が解決しようとする課題】
【０００８】
しかしながら、デジタル放送においては、チャンネルの数が増え、予め決められたチャンネルを選局するためのキーである、いわゆるダイレクトキーをその増えたチャンネルの数だけ設けることはできず、デジタル放送のチャンネルを選局するには、ダイレクトキーの数が足りない。
【０００９】
また、チャンネルの数が増えると、＋／−キーを操作して、所望のチャンネルを選局するには、視聴者は、＋／−キーを何度も操作しなければならない。
【００１０】
さらに、デジタル放送のチャンネルの切り替えに要する時間は、アナログ放送のチャンネルの切り替えに要する時間に比較して長い。
【００１１】
このように、デジタル放送の番組を視聴するようになり、また、チャンネルの数が増えるに従って、同じ時間に放送されている複数の番組を何度も切り替えて視聴する場合、視聴者は、チャンネルの切り替えにストレスを感じるようになっている。
【００１２】
このため、同じ時間で放送されている複数の番組を何度も切り替えるような番組の視聴を何らかの形で支援する技術の必要が高まっている。
【００１３】
本発明は、このような状況に鑑みてなされたものであり、より少ない手順で、より簡単に、より直感的に所望のチャンネルを選局することができるようにするものである。
【課題を解決するための手段】
【００１４】
本発明の一側面の受信装置は、予め定めた時間より長く視聴された番組のチャンネルを特定する情報であるチャンネル情報の記憶を制御する記憶制御手段と、視聴している番組の画像に重畳する、記憶されている前記チャンネル情報で特定されるチャンネルを示すタブの表示を制御する表示制御手段と、前記タブが選択された場合、選択された前記タブで示されるチャンネルを選局するように選局を制御する選局制御手段とを備える。
【００１５】
前記記憶制御手段には、前記チャンネル情報で特定されるチャンネルで放送されている番組の終了時刻を示す終了時刻情報をチャンネル情報と共に記憶し前記終了時刻情報に基づいて、前記番組が終了した場合、前記チャンネル情報および前記終了時刻情報を削除するように前記チャンネル情報および前記終了時刻情報の記憶を制御させることができる。
【００１６】
チャンネルの番組の画像のサムネイル画像を生成する生成手段をさらに設け、前記表示制御手段には、前記サムネイル画像を含む前記タブの表示を制御させることができる。
【００１７】
前記表示制御手段には、前記タブを多段タブとして表示するように前記タブの表示を制御させることができる。
【００１８】
本発明の一側面の受信方法は、予め定めた時間より長く視聴された番組のチャンネルを特定する情報であるチャンネル情報の記憶を制御し、視聴している番組の画像に重畳する、記憶されている前記チャンネル情報で特定されるチャンネルを示すタブの表示を制御し、前記タブが選択された場合、選択された前記タブで示されるチャンネルを選局するように選局を制御するステップを含む。
【００１９】
本発明の一側面のプログラムは、予め定めた時間より長く視聴された番組のチャンネルを特定する情報であるチャンネル情報の記憶を制御し、視聴している番組の画像に重畳する、記憶されている前記チャンネル情報で特定されるチャンネルを示すタブの表示を制御し、前記タブが選択された場合、選択された前記タブで示されるチャンネルを選局するように選局を制御するステップをコンピュータに実行させる。
【００２０】
本発明の一側面においては、予め定めた時間より長く視聴された番組のチャンネルを特定する情報であるチャンネル情報の記憶が制御され、視聴している番組の画像に重畳する、記憶されている前記チャンネル情報で特定されるチャンネルを示すタブの表示が制御され、前記タブが選択された場合、選択された前記タブで示されるチャンネルを選局するように選局が制御される。
【発明の効果】
【００２１】
以上のように、本発明の一側面によれば、選局することができる。
【００２２】
また、本発明の一側面によれば、より少ない手順で、より簡単に、より直感的に所望のチャンネルを選局することができる。
【発明を実施するための最良の形態】
【００２３】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２４】
本発明の一側面の受信装置は、予め定めた時間より長く視聴した番組のチャンネルを特定する情報であるチャンネル情報（例えば、図３のチャンネル番号）の記憶を制御する記憶制御手段（例えば、図２の登録処理部９１）と、視聴している番組の画像に重畳する、記憶されている前記チャンネル情報で特定されるチャンネルを示すタブの表示を制御する表示制御手段（例えば、図２のタブ表示制御部９２）と、前記タブが選択された場合、選択された前記タブで示されるチャンネルを選局するように選局を制御する選局制御手段（例えば、図２の選局処理部９３）とを備える。
【００２５】
チャンネルの番組の画像のサムネイル画像を生成する生成手段（例えば、図１のサムネイル画像生成部３５）をさらに設けることができ、前記表示制御手段は、前記サムネイル画像を含む前記タブの表示を制御することができる。
【００２６】
本発明の一側面の受信方法またはプログラムは、予め定めた時間より長く視聴した番組のチャンネルを特定する情報であるチャンネル情報の記憶を制御し（例えば、図４のステップＳ１１乃至ステップＳ１６）、視聴している番組の画像に重畳する、記憶されている前記チャンネル情報で特定されるチャンネルを示すタブの表示を制御し（例えば、図５のステップＳ３１乃至ステップＳ３６）、前記タブが選択された場合、選択された前記タブで示されるチャンネルを選局するように選局を制御する（例えば、図７のステップＳ５１乃至ステップＳ５９）ステップを含む。
【００２７】
図１は、本発明のテレビジョン受像機１１の一実施の形態の構成を示すブロック図である。テレビジョン受像機１１は、放送のチャンネルを選局して、選局したチャンネルの番組の画像を表示する。
【００２８】
テレビジョン受像機１１は、アンテナ１２に接続されると共に、ネットワーク１３を介してEPG（Electronic Program Guide）提供サーバ１４またはコンテンツサーバ１５に接続される。
【００２９】
アンテナ１２は、受信した電波に応じた放送信号をテレビジョン受像機１１に供給する。EPG提供サーバ１４は、電子番組ガイド（EPG）のデータであるEPGデータをネットワーク１３を介してテレビジョン受像機１１に供給する。
【００３０】
EPGデータは、いわゆる番組表のデータであり、それぞれのチャンネルのチャンネル番号、それぞれのチャンネルの番組のタイトル、およびそれぞれの番組の放送の終了時刻を示すものであれば足りる。
【００３１】
また、コンテンツサーバ１５は、コンテンツである番組の画像データおよび音声データをネットワーク１３を介してテレビジョン受像機１１に供給する。例えば、コンテンツサーバ１５は、アドレスを特定してテレビジョン受像機１１から要求された、いわゆるインターネットテレビの番組の画像データおよび音声データを、ネットワーク１３を介してテレビジョン受像機１１に供給する。
【００３２】
テレビジョン受像機１１は、操作キー３１、リモートコマンダ受信部３２、制御部３３、チューナ３４、サムネイル画像生成部３５、蓄積部３６、タブOSD（On Screen Display）データ生成部３７、デコーダ３８、画像合成部３９、表示部４０、および通信部４１から構成される。
【００３３】
操作キー３１は、スイッチまたは操作パネルなどからなり、視聴者からの操作に応じた信号である操作入力信号を制御部３３に供給する。リモートコマンダ受信部３２は、図示せぬリモートコマンダから送信されてくる、リモートコマンダへの視聴者の操作に応じた赤外線または電波などの信号を受信して、受信した信号に対応する操作入力信号を制御部３３に供給する。
【００３４】
制御部３３は、テレビジョン受像機１１全体を制御する。制御部３３は、汎用の組込型のMPU（Micro Processing Unit）または専用のプロセッサなどからなり、所定のプログラムを実行し、各種の処理を行う。また、制御部３３は、プログラムを必要としない専用のハードウェアで構成するようにしてもよい。
【００３５】
制御部３３は、バスを介して、チューナ３４、サムネイル画像生成部３５、蓄積部３６、タブOSDデータ生成部３７、デコーダ３８、画像合成部３９、表示部４０、および通信部４１に接続され、バスを介して、チューナ３４、サムネイル画像生成部３５、蓄積部３６、タブOSDデータ生成部３７、デコーダ３８、画像合成部３９、表示部４０、および通信部４１を制御する。
また、制御部３３は、その内部にRAM（Random Access Memory）６１を備え、各種の処理を実行する場合、例えば、プログラムまたは処理中のデータなどをRAM６１に記憶させる。
【００３６】
チューナ３４は、制御部３３の制御に基づいて、選局する。チューナ３４は、アンテナ１２から供給された放送信号から番組の画像を表示するための画像信号と番組の音声を出力するための音声信号を復調する。デジタル放送を受信する場合、チューナ３４は、符号化されている画像信号および音声信号を、その符号化の方式に応じて復号する。
【００３７】
チューナ３４は、復調または復号により得られた画像信号をサムネイル画像生成部３５および画像合成部３９に供給する。
【００３８】
また、チューナ３４は、放送によって送信されてくるEPGデータを放送信号から抽出して、抽出したEPGデータをバスを介して制御部３３に供給する。
【００３９】
以下において、番組の音声についての説明は省略する。
【００４０】
サムネイル画像生成部３５は、制御部３３の制御に基づいて、チューナ３４から供給された画像信号から、静止画像であるサムネイル画像を生成し、生成したサムネイル画像のデータを蓄積部３６に供給する。また、サムネイル画像生成部３５は、画像信号から、予め定めた時間の動画像であるサムネイル画像を生成し、生成したサムネイル画像のデータを蓄積部３６に供給するようにしてもよい。
【００４１】
蓄積部３６は、制御部３３の制御に基づいて、サムネイル画像生成部３５から供給されたサムネイル画像のデータを蓄積する。例えば、蓄積部３６は、制御部３３における後述するタブテーブルで示されるチャンネル番号と関連付けてサムネイル画像のデータを蓄積する。
【００４２】
タブOSDデータ生成部３７は、制御部３３の制御の基に、チャンネルを示すタブを、選局されているチャンネルの番組の画像に重畳させて表示させるための画像データであるOSDデータを生成する。すなわち、タブOSDデータ生成部３７は、制御部３３の制御の基に、チャンネルを示すタブを表示部４０にOSDにより表示させるためのOSDデータを生成する。タブOSDデータ生成部３７は、生成したOSDデータを画像合成部３９に供給する。
【００４３】
なお、タブにサムネイル画像を表示させる場合、タブOSDデータ生成部３７は、蓄積部３６からサムネイル画像のデータを取得し、チャンネルを示す画像とサムネイル画像とからなるタブを表示させるためのOSDデータを生成する。
【００４４】
デコーダ３８は、ネットワーク１３を介してコンテンツサーバ１５から送信されてきた番組の画像データであって、通信部４１において受信された画像データを、バスを介して通信部４１から取得して、取得した画像データを復号する。デコーダ３８は、復号の結果得られた画像信号を画像合成部３９に供給する。また、デコーダ３８は、バスを介して、復号の結果得られた画像信号をサムネイル画像生成部３５に供給する。
【００４５】
サムネイル画像生成部３５は、制御部３３の制御に基づいて、デコーダ３８から供給された画像信号からサムネイル画像を生成する。
【００４６】
画像合成部３９は、制御部３３の制御に基づいて、タブOSDデータ生成部３７から供給されたOSDデータとチューナ３４またはデコーダ３８から供給された画像信号とを合成する。すなわち、画像合成部３９は、OSDデータで表示される画像と、画像信号により表示される画像とを重畳した画像が得られるように、OSDデータと画像信号とを合成する。
【００４７】
画像合成部３９は、合成の結果得られた画像信号を表示部４０に供給する。
【００４８】
表示部４０は、LCD（Liquid Crystal Display）、プラズマディスプレイ、またはLED（Light Emitting Diode）ディスプレイなどの表示デバイスからなり、制御部３３の制御に基づいて、画像合成部３９から供給された画像信号に応じた画像を表示する。
【００４９】
通信部４１は、制御部３３の制御に基づいて、ネットワーク１３を介してEPG提供サーバ１４から送信されてくるEPGデータを受信する。通信部４１は、受信したEPGデータを制御部３３に供給する。
【００５０】
また、通信部４１は、制御部３３の制御に基づいて、ネットワーク１３を介してコンテンツサーバ１５から送信されてくる番組の画像データを受信する。通信部４１は、受信した画像データを、バスを介して、デコーダ３８に供給する。
【００５１】
図２は、制御部３３で実行されるプログラムである制御プログラム７１の構成を示すブロック図である。制御プログラム７１は、操作キー３１またはリモートコマンダ受信部３２から供給される操作入力信号に応じて、テレビジョン受像機１１全体を制御する。制御プログラム７１は、タブ処理プログラム８１およびEPGデータ取得処理部８２を含むように構成される。
【００５２】
タブ処理プログラム８１は、選局されたチャンネルについてのタブを登録し、登録されたタブの表示を制御し、表示させたタブへの操作に応じてチャンネルの選局を制御する。EPGデータ取得処理部８２は、チューナ３４または通信部４１からEPGデータを取得して、取得したEPGデータを記憶する。
【００５３】
タブ処理プログラム８１は、登録処理部９１、タブ表示制御部９２、および選局処理部９３から構成され、タブテーブル９４を保持している。
【００５４】
登録処理部９１は、操作入力信号に応じて、視聴者が一定時間視聴した番組のチャンネルを登録する。すなわち、登録処理部９１は、予め定めた時間より長く視聴された番組のチャンネルを特定する情報であるチャンネル情報の記憶を制御する。
【００５５】
より具体的には、登録処理部９１は、予め定めた時間より長く視聴された番組のチャンネルを特定する情報であるチャンネル情報をタブテーブル９４に格納することにより、視聴者が一定時間視聴した番組のチャンネルを登録する。
【００５６】
また、登録処理部９１は、チャンネル情報で特定されるチャンネルで放送されている番組の終了時刻を示す終了時刻情報をチャンネル情報と共に記憶し、終了時刻情報に基づいて、番組が終了した場合、チャンネル情報および終了時刻情報を削除するようにチャンネル情報および終了時刻情報の記憶を制御する。
【００５７】
図３は、タブテーブル９４の例を示す図である。タブテーブル９４には、チャンネル番号、番組タイトル、番組終了時刻、およびサムネイル画像データが配置される。チャンネル番号は、チャンネル情報の一例であり、番組終了時刻は、終了時刻情報の一例である。
【００５８】
視聴者が一定時間番組を視聴すると、その番組のチャンネルが登録される。チャンネルが登録されるとは、タブテーブル９４に、そのチャンネルを特定する情報が配置されて、記憶されることをいう。例えば、１つのチャンネルが登録されると、タブテーブル９４に、それぞれ１つの、チャンネル番号、番組タイトル、番組終了時刻、およびサムネイル画像データが相互に関係付けられて配置される。
【００５９】
タブテーブル９４に配置されるチャンネル番号は、登録されたチャンネルのチャンネル番号を示す。タブテーブル９４に配置される番組タイトルは、登録されたチャンネルの番組のタイトルを示す。タブテーブル９４に配置される番組終了時刻は、登録されたチャンネルの番組の終了時刻を示す。
【００６０】
また、タブテーブル９４に配置されるサムネイル画像データは、登録されたチャンネルの番組の画像のサムネイル画像であって、蓄積部３６に記録されている、サムネイル画像のデータを参照するポインタである。
【００６１】
ここで、番組タイトルおよび番組終了時刻は、記録されているEPGデータから抽出されて、タブテーブル９４に配置される。
【００６２】
例えば、図３で示されるように、タブテーブル９４には、地上波放送のチャンネル番号５１を示す”地上０５１”であるチャンネル番号、”世界遺産”である番組タイトル、または午前９時４５分を示す”９：４５”である番組終了時刻が配置される。
【００６３】
なお、図３に、それぞれ１つの、チャンネル番号、番組タイトル、番組終了時刻、およびサムネイル画像データが配置されるタブテーブル９４の例を示したが、視聴者が、複数の番組を一定時間視聴すると、それぞれの番組のチャンネルが登録され、タブテーブル９４には、それぞれのチャンネルに応じた、相互に関係付けられているチャンネル番号と番組タイトルと番組終了時刻とサムネイル画像データの組が、複数配置されることになる。
【００６４】
また、タブテーブル９４に配置されるサムネイル画像データは、蓄積部３６に記録されている、サムネイル画像のデータを参照するポインタであると説明したが、タブテーブル９４に、サムネイル画像生成部３５において生成されたサムネイル画像のデータそのものを配置するようにしてもよい。
【００６５】
タブ表示制御部９２は、視聴している番組の画像に重畳する、記憶されているチャンネル情報で特定されるチャンネルを示すタブの表示を制御する。例えば、タブ表示制御部９２は、タブテーブル９４に基づいて、タブテーブル９４に配置されているチャンネル番号を示すタブの表示を制御する。例えば、タブ表示制御部９２は、タブを多段タブとして表示させたり、タブの表示を表示部４０から消去させたりして、タブの表示を制御する。
【００６６】
選局処理部９３は、タブが選択された場合、選択されたタブで示されるチャンネルを選局するように選局を制御する。例えば、選局処理部９３は、視聴者による操作キー３１または図示せぬリモートコマンダへの操作により、表示部４０に表示されているタブが選択されると、選択されたタブで示されるチャンネルをチューナ３４に選局させる。
【００６７】
EPGデータ取得処理部８２は、通信部４１において受信したEPGデータを通信部４１から取得するか、または、放送されたEPGデータであって、チューナ３４で受信されたEPGデータをチューナ３４から取得する。EPGデータ取得処理部８２は、取得したEPGデータをEPGデータ９５としてRAM６１の記憶領域のうち自分が管理している記憶領域に記憶させる。すなわち、EPGデータ取得処理部８２は、EPGデータ９５を保持している。
【００６８】
図４は、所定のチャンネルが選局された場合に実行される、テレビジョン受像機１１によるタブの登録の処理を説明するフローチャートである。ステップＳ１１において、タブ処理プログラム８１の登録処理部９１は、視聴者による操作キー３１または図示せぬリモートコマンダへの操作により選局されているチャンネルがRAM６１に記憶されているタブテーブル９４に登録されているか否かを判定する。例えば、登録処理部９１は、チューナ３４への選局の指示の履歴またはチューナ３４の状態を示すチューナ３４からの信号を基に、選局されているチャンネルを特定する。そして、登録処理部９１は、特定したチャンネルのチャンネル番号と一致するチャンネル番号がタブテーブル９４に配置されているかにより、選局されているチャンネルがタブテーブル９４に登録されているか否かを判定する。
【００６９】
ステップＳ１１において、選局されているチャンネルがタブテーブル９４に登録されていないと判定された場合、現在、選局されているチャンネルを新規にタブテーブル９４に登録する可能性があるので、手続きはステップＳ１２に進む。
【００７０】
ステップＳ１２において、登録処理部９１は、チャンネルが選局されてからの時間の計測を開始し、手続きはステップＳ１３に進む。例えば、ステップＳ１２において、登録処理部９１は、図示せぬリアルタイムクロックで示される時刻を基に、時間の計測を開始するか、または制御部３３に設けられている計時するカウンタの動作を開始させることにより、選局されてからの時間の計測を開始する。
【００７１】
ステップＳ１３において、登録処理部９１は、サムネイル画像生成部３５に、選局されているチャンネルで放送されている番組の画像のサムネイル画像を生成させ、手続きはステップＳ１４に進む。なお、サムネイル画像生成部３５は、静止画像のサムネイル画像を生成するようにしても、動画像のサムネイル画像を生成するようにしてもよい。
【００７２】
なお、サムネイル画像の生成を、時間の計測の開始の直後に実行させるようにしたのは、
サムネイル画像の生成の処理には比較的長い時間が必要とされるので、選局の時間を計測している間に、サムネイル画像の生成の処理を実行させて、後述するステップＳ１６において、即座に、チャンネルを登録できるようにするためである。
【００７３】
ステップＳ１４において、登録処理部９１は、チャンネルが選局されてからの時間の計測を開始してから、所定の時間が経過したか否かを判定し、所定の時間が経過するまで、ステップＳ１４の判定の処理が繰り返される。例えば、ステップＳ１４において、登録処理部９１は、チャンネルが選局されてからの時間の計測を開始してから、予め定めた基準の時間である１０秒が経過したか否かを判定する。
【００７４】
ここで、ステップＳ１４において、チャンネルが選局されてからの時間の計測を開始してから、所定の時間が経過したか否かを判定するようにしたのは、視聴のために選局されたチャンネルだけが登録されるようにするためである。すなわち、例えば、当初、１チャンネルの番組を視聴し、その後、６チャンネルの番組を視聴しようとする場合、視聴者がリモートコマンダの＋キーを押圧してチャンネルを順に選局すると、１チャンネル、３チャンネル、４チャンネル、６チャンネルが順に選局されることになる。この場合、３チャンネルと４チャンネルは、６チャンネルを選局するために選局されたものであって、視聴のために選局されていない。
【００７５】
このような、３チャンネルと４チャンネルなどの、他のチャンネルを選局するために一時的に選局されたチャンネルの登録を避けるために、ステップＳ１４において、チャンネルが選局されてからの時間の計測を開始してから、所定の時間が経過したか否かが判定される。
【００７６】
なお、予め定めた基準の時間である所定の時間は、１０秒に限らず、所望の長さの時間とすることができる。例えば、所定の時間を短く、３秒または５秒などとすれば、単に出演者を確認したり、スポーツのスコアを確認するなど一見された番組のチャンネルが登録され、登録されるチャンネルの数が増えることになる。逆に、所定の時間を長く、３０秒または６０秒などとすれば、その内容がある程度理解される程度に視聴された番組だけが登録され、登録されるチャンネルの数を抑制することができる。
【００７７】
ステップＳ１４において、チャンネルが選局されてからの時間の計測を開始してから、所定の時間が経過したと判定された場合、現在選局されているチャンネルの番組が視聴者に視聴されているので、ステップＳ１５に進み、登録処理部９１は、EPGデータ取得処理部８２のEPGデータ９５から、選局されているチャンネルで、放送中の番組の番組タイトルおよび番組終了時刻を取得し、手続きはステップＳ１６に進む。
【００７８】
ステップＳ１６において、登録処理部９１は、選局したチャンネルをタブテーブル９４に登録して、処理は終了する。すなわち、ステップＳ１６において、登録処理部９１は、選局されているチャンネルのチャンネル番号、ステップＳ１５で取得した番組タイトルおよび番組終了時刻、並びにステップＳ１３で生成されたサムネイル画像のデータを示すサムネイル画像データをタブテーブル９４に格納させて、記憶させる。
【００７９】
ステップＳ１１において、選局されているチャンネルがタブテーブル９４に登録されていると判定された場合、選局されているチャンネルをさらに登録する必要はないので、ステップＳ１２乃至ステップＳ１６の処理はスキップされて、処理は終了する。
【００８０】
このようにして、予め定めた時間より長く視聴された番組のチャンネルを特定する情報であるチャンネル情報が、タブを表示させるための情報としてタブテーブル９４に配置され、記憶される。
【００８１】
図５は、テレビジョン受像機１１によるタブの表示の処理を説明するフローチャートである。ステップＳ３１において、タブ処理プログラム８１のタブ表示制御部９２は、視聴者による操作キー３１または図示せぬリモートコマンダへの操作により、操作キー３１またはリモートコマンダ受信部３２から供給される操作入力信号を基に、操作キー３１またはリモートコマンダに設けられているタブ表示キーが押下されたか否かを判定する。
【００８２】
例えば、タブ表示キーは、リモートコマンダの上向きの矢印キーとされる。なお、タブ表示キーは、１つのキーであっても、同時に押下される複数のキーからなるようにしてもよい。
【００８３】
ステップＳ３１において、タブ表示キーが押下されたと判定された場合、視聴者からチャンネルを選局するためのタブの表示が指示されたので、ステップＳ３２に進み、タブ表示制御部９２は、タブテーブル９４を読み込み、ステップＳ３３に進む。例えば、ステップＳ３２において、タブ表示制御部９２は、登録処理部９１のチャンネルの登録の処理によりチャンネル情報が配置されているタブテーブル９４を読み込む。
【００８４】
ステップＳ３３において、タブ表示制御部９２は、タブテーブル９４のデータを取得し、ステップＳ３４に進む。すなわち、タブ表示制御部９２は、タブテーブル９４に配置されているチャンネル番号、番組タイトル、番組終了時刻、およびサムネイル画像データを取得する。
【００８５】
なお、複数のチャンネルが登録され、タブテーブル９４に、チャンネル番号、番組タイトル、番組終了時刻、およびサムネイル画像データの組が複数配置されている場合、ステップＳ３３において、タブ表示制御部９２は、チャンネル番号、番組タイトル、番組終了時刻、およびサムネイル画像データの組の総てを取得する。タブ表示制御部９２は、タブテーブル９４に配置されている、チャンネル番号、番組タイトル、番組終了時刻、およびサムネイル画像データの組のうち、一部の組のチャンネル番号、番組タイトル、番組終了時刻、およびサムネイル画像データを取得するようにしてもよい。
【００８６】
ステップＳ３４において、タブ表示制御部９２は、タブOSDデータ生成部３７に、ステップＳ３３で取得したタブテーブル９４のデータを基にして、登録されたチャンネルを選局するためのタブを表示させるタブOSDデータを生成させ、ステップＳ３５に進む。例えば、ステップＳ３４において、タブ表示制御部９２は、チャンネル番号および番組タイトルを含むタブを表示させるタブOSDデータをタブOSDデータ生成部３７に生成させる。
【００８７】
複数のチャンネルが登録されている場合、ステップＳ３４において、タブ表示制御部９２は、タブOSDデータ生成部３７に、登録された複数のチャンネルのそれぞれを選局するための複数のタブを表示させるタブOSDデータを生成させる。
【００８８】
ステップＳ３５において、タブ表示制御部９２は、画像合成部３９に、番組の画像と、タブOSDデータによるタブの画像とを合成させ、ステップＳ３６に進む。すなわち、ステップＳ３５において、タブ表示制御部９２は、画像合成部３９に、OSDデータで表示されるタブの画像と、チューナ３４またはデコーダ３８から供給された画像信号による表示される画像とを重畳した画像が得られるように、OSDデータと画像信号とを合成させることで、番組の画像とタブの画像とを合成させる。
【００８９】
ステップＳ３６において、タブ表示制御部９２は、表示部４０に、タブの画像と合成された番組の画像を表示させ、処理は終了する。
【００９０】
ステップＳ３１において、タブ表示キーが押下されていないと判定された場合、タブを表示する必要はないので、ステップＳ３２乃至ステップＳ３６の処理はスキップされて、処理は終了する。
【００９１】
図６は、タブの登録の処理およびタブの表示の処理の例を説明する図である。
【００９２】
例えば、図６の上左側に示されるように、テレビジョン受像機１１において、５１であるチャンネル番号の地上波の放送のチャンネルが選局され、表示部４０に選局されているチャンネルの番組の画像１０１が表示されて、所定の時間以上、そのチャンネルの番組が視聴されると、５１であるチャンネル番号の地上波の放送のチャンネルがタブテーブル９４に登録される。すなわち、５１であるチャンネル番号の地上波の放送のチャンネルのそのチャンネル番号、そのチャンネルで放送されている番組の番組タイトル、およびそのチャンネルで放送されている番組の番組終了時刻がタブテーブル９４に格納され、記憶される。
【００９３】
次に、図６の上側中央に示されるように、テレビジョン受像機１１において、５９でチャンネル番号のCS放送のチャンネルが選局され、表示部４０に選局されているチャンネルの番組の画像１０２が表示されて、所定の時間以上、そのチャンネルの番組が視聴されると、５９であるチャンネル番号のCS放送のチャンネルがタブテーブル９４に登録される。すなわち、５９であるチャンネル番号のCS放送のチャンネルの”ＣＳ０５９”であるチャンネル番号、そのチャンネルで放送されている番組の番組タイトル、およびそのチャンネルで放送されている番組の番組終了時刻がタブテーブル９４に格納され、記憶される。
【００９４】
さらに、図６の上右側に示されるように、テレビジョン受像機１１において、１４１であるチャンネル番号のBS放送のチャンネルが選局され、表示部４０に選局されているチャンネルの番組の画像１０３が表示されて、所定の時間以上、そのチャンネルの番組が視聴されると、１４１であるチャンネル番号のBS放送のチャンネルがタブテーブル９４に登録される。すなわち、１４１であるチャンネル番号のBS放送のチャンネルの”ＢＳ１４１”であるチャンネル番号、そのチャンネルで放送されている番組の番組タイトル、およびそのチャンネルで放送されている番組の番組終了時刻がタブテーブル９４に格納され、記憶される。
【００９５】
その後、タブ表示キーが押下されると、図６の下側に示されるように、選局されているチャンネルである、１４１であるチャンネル番号のBS放送のチャンネルで放送されている番組の画像１０３と、５１であるチャンネル番号の地上波の放送のチャンネルを選局するためのタブ１１１−１、５９であるチャンネル番号のCS放送のチャンネルを選局するためのタブ１１１−２、および１４１であるチャンネル番号のBS放送のチャンネルを選局するためのタブ１１１−３とが合成された画像が、テレビジョン受像機１１の表示部４０に表示されることになる。
【００９６】
すなわち、５１であるチャンネル番号の地上波の放送のチャンネルを選局するためのタブ１１１−１、５９であるチャンネル番号のCS放送のチャンネルを選局するためのタブ１１１−２、および１４１であるチャンネル番号のBS放送のチャンネルを選局するためのタブ１１１−３は、選局されているチャンネルである、１４１であるチャンネル番号のBS放送のチャンネルで放送されている番組の画像１０３に重畳されて、表示部４０に表示される。
【００９７】
図６に示されるように、タブ１１１−１には、５１であるチャンネル番号の地上波の放送のチャンネルを示す”地上０５１”および５１であるチャンネル番号の地上波の放送のチャンネルで放送されている番組の番組タイトルを示す”世界遺・・・”の文字が表示される。
【００９８】
また、タブ１１１−２には、５９であるチャンネル番号のCS放送のチャンネルを示す”ＣＳ０５９”および５９であるチャンネル番号のCS放送のチャンネルで放送されている番組の番組タイトルを示す”薔薇と・・・”の文字が表示される。同様に、タブ１１１−３には、１４１であるチャンネル番号のBS放送のチャンネルを示す”ＢＳ１４１”および１４１であるチャンネル番号のBS放送のチャンネルで放送されている番組の番組タイトルを示す”日本ＶＳ・・・”の文字が表示される。
【００９９】
以下タブ１１１−１乃至タブ１１１−３を個々に区別する必要がない場合、単にタブ１１１と称する。
【０１００】
なお、タブ１１１は、番組の画像の視聴を妨げないようにするために、半透過の画像として表示されることが好ましい。
【０１０１】
また、選局されているチャンネルと同じチャンネルを選択するためのタブ１１１に、カーソル１１２が配置される。すなわち、図６の例において、１４１であるチャンネル番号のBS放送のチャンネルが選局されているので、タブ１１１−３に、カーソル１１２が配置される。このようにすることで、視聴者は、現在選局されているチャンネルを即座に知ることができる。
【０１０２】
なお、図６の例において、カーソル１１２は、タブ１１１−３の輪郭を強調するように示されているが、タブ１１１−３をタブ１１１−１またはタブ１１１−２の色と異なる色にするようにしても、輝度を変化させるなど、視聴者がフォーカスされているタブ１１１を認識できる方式でカーソル１１２が表示されればよい。
【０１０３】
図７は、テレビジョン受像機１１の表示部４０に表示されているタブ１１１による選局の処理を説明するフローチャートである。
【０１０４】
ステップＳ５１において、タブ処理プログラム８１の選局処理部９３は、表示部４０の画面に表示されるカーソル１１２の右への移動が指示されたか否かを判定する。例えば、ステップＳ５１において、選局処理部９３は、操作キー３１または図示せぬリモートコマンダ受信部３２からの操作入力信号を基に、操作キー３１またはリモートコマンダの右向きの矢印キーが視聴者に押下されることで、カーソル１１２の右への移動が指示されたか否かを判定する。ステップＳ５１において、カーソル１１２の右への移動が指示されたと判定された場合、ステップＳ５２に進み、選局処理部９３は、カーソル１１２の右側にタブ１１１が表示されているか否かを判定する。ステップＳ５２において、カーソル１１２の右側にタブ１１１が表示されていると判定された場合、ステップＳ５３に進み、選局処理部９３は、カーソル１１２を１つ右のタブ１１１へ移動させて、その右のタブ１１１にフォーカスが移動し、ステップＳ５７に進む。
【０１０５】
ステップＳ５２において、カーソル１１２の右側にタブが表示されていないと判定された場合、カーソル１１２を移動させることはできないので、ステップＳ５３はスキップされて、手続きは、ステップＳ５７に進む。
【０１０６】
一方、ステップＳ５１において、カーソル１１２の右への移動が指示されていないと判定された場合、ステップＳ５４に進み、選局処理部９３は、カーソル１１２の左への移動が指示されたか否かを判定する。例えば、ステップＳ５４において、選局処理部９３は、操作キー３１または図示せぬリモートコマンダ受信部３２からの操作入力信号を基に、操作キー３１またはリモートコマンダの左向きの矢印キーが視聴者に押下されることで、カーソル１１２の左への移動が指示されたか否かを判定する。ステップＳ５４において、カーソル１１２の左への移動が指示されたと判定された場合、ステップＳ５５に進み、選局処理部９３は、カーソル１１２の左側にタブ１１１が表示されているか否かを判定する。ステップＳ５５において、カーソル１１２の左側にタブ１１１が表示されていると判定された場合、ステップＳ５６に進み、選局処理部９３は、カーソル１１２を１つ左のタブ１１１へ移動させて、その左のタブ１１１にフォーカスが移動し、ステップＳ５７に進む。
【０１０７】
ステップＳ５５において、カーソル１１２の左側にタブが表示されていないと判定された場合、カーソル１１２を移動させることはできないので、ステップＳ５６はスキップされて、手続きは、ステップＳ５７に進む。
【０１０８】
ステップＳ５４において、カーソル１１２の左への移動が指示されていないと判定された場合、カーソル１１２を移動させる必要はないので、手続きは、ステップＳ５７に進む。
【０１０９】
ステップＳ５７において、選局処理部９３は、選局が指示されたか否かを判定する。例えば、ステップＳ５７において、選局処理部９３は、操作キー３１または図示せぬリモートコマンダ受信部３２からの操作入力信号を基に、操作キー３１またはリモートコマンダの決定キーが視聴者に押下されることで、選局が指示されたか否かを判定する。ステップＳ５７において、選局が指示されたと判定された場合、ステップＳ５８に進み、選局処理部９３は、フォーカスされているタブ１１１、すなわちカーソル１１２が位置するタブ１１１で示されるチャンネルを、チューナ３４に選局させて、ステップＳ５９に進む。ステップＳ５８により、チューナ３４は、視聴者に選択されたタブ１１１で示されるチャンネルを選局することになる。
【０１１０】
視聴者によって所望のチャンネルが選局されたので、ステップＳ５９において、タブ表示制御部９２は、タブ１１１の表示を表示部４０の画面から消去し、手続きはステップＳ５１に戻り、上述した処理を繰り返す。すなわち、ステップＳ５９において、選局処理部９３が選局した旨をタブ表示制御部９２に通知すると、タブ表示制御部９２は、画像合成部３９に、OSDデータと画像信号との合成を停止させ、番組の画像だけを表示部４０に表示させる。
【０１１１】
ステップＳ５７において、選局が指示されていないと判定された場合、ステップＳ５１に戻り、上述した処理を繰り返す。
【０１１２】
図８は、タブ１１１による選局の処理を説明する図である。
【０１１３】
例えば、図８の左上側に示されるように、選局されているチャンネルである、１４１であるチャンネル番号のBS放送のチャンネルで放送されている番組の画像１０３と、５１であるチャンネル番号の地上波の放送のチャンネルを選局するためのタブ１１１−１、５９であるチャンネル番号のCＳ放送のチャンネルを選局するためのタブ１１１−２、および１４１であるチャンネル番号のBS放送のチャンネルを選局するためのタブ１１１−３とが合成された画像が、テレビジョン受像機１１の表示部４０に表示されているとする。また、タブ１１１−３にカーソル１１２が配置されているとする。
【０１１４】
この場合、操作キー３１または図示せぬリモートコマンダの左向きの矢印キーが押下されることにより、カーソル１１２の左への移動が指示されると、カーソル１１２の左側にタブ１１１−２が表示されているので、カーソル１１２は１つ左のタブ１１１−２に移動させられる。
【０１１５】
さらに、操作キー３１または図示せぬリモートコマンダの左向きの矢印キーが押下されることにより、カーソル１１２の左への移動が指示されると、カーソル１１２の左側にタブ１１１−１が表示されているので、カーソル１１２は１つ左のタブ１１１−１に移動させられる。
【０１１６】
そして、このとき、操作キー３１または図示せぬリモートコマンダの決定キーが押下されることにより、選局が指示されると、カーソル１１２が配置されているタブ１１１−１で示される、５１であるチャンネル番号の地上波の放送のチャンネルが選局され、図８の右側に示されるように、番組１０１が選局されて、表示部４０に選局されているチャンネルの番組の画像１０１が表示されると共に、タブ１１１の表示が消去される。
【０１１７】
このように、例えば、矢印キーと決定キーのみの操作でチャンネルを切り替えることができ、簡単、かつ迅速に、チャンネルを選局することができる。例えば、CS放送、BS放送、または地上波の放送などのメディアを選択するキーを操作してから、チャンネル番号を指示するキーを操作する場合に比較して、より少ない数の操作で、所望のメディアの所望のチャンネルを選局することができる。
【０１１８】
また、リモートコマンダの数字キーに割り当てられていないチャンネルを再度選局する場合でも、視聴者は、タブ１１１で選局できるので、チャンネル番号を直接入力する必要がなく、操作するキーの数を減らすことができ、操作をより簡単にすることができる。
【０１１９】
さらに、１つ前や２つ前に選局したチャンネルに戻りたい場合、タブ１１１を表示することで選局の履歴が一目でわかるので、過去に一定時間視聴してから選局したチャンネルを視聴者が覚えておく必要がなく、より手軽に選局することができる。
【０１２０】
図９は、サムネイル画像を含むタブ１１１の例を示す図である。図９で示される例において、５１であるチャンネル番号の地上波の放送のチャンネルの番号の画像１０１のサムネイル画像１２１−１が、５１であるチャンネル番号の地上波の放送のチャンネルを選局するためのタブ１１１−１に表示されている。すなわち、表示部４０の画面における、タブ１１１−１の領域の中に、サムネイル画像１２１−１が表示される。
【０１２１】
同様に、５９であるチャンネル番号のCS放送のチャンネルの番組の画像１０２のサムネイル画像１２１−２が、５９であるチャンネル番号のCS放送のチャンネルを選局するためのタブ１１１−２に表示されている。すなわち、表示部４０の画面における、タブ１１１−２の領域の中に、サムネイル画像１２１−２が表示される。
【０１２２】
図９で示される例において、１４１であるチャンネル番号のBS放送のチャンネルが選局され、表示部４０に選局されているチャンネルの番組の画像１０３が表示されているので、タブ１１１−３には、サムネイル画像は配置されない。
【０１２３】
この場合、タブOSDデータ生成部３７は、制御部３３からOSDデータの生成が指示されると、このとき制御部３３から供給されるサムネイル画像データを基に、蓄積部３６から、ポインタであるサムネイル画像データで示されるサムネイル画像のデータを読み出す。そして、タブOSDデータ生成部３７は、チャンネルを示す画像とサムネイル画像とからなるタブ１１１を表示させるためのOSDデータを生成する。
【０１２４】
以下サムネイル画像１２１−１およびサムネイル画像１２１−２を個々に区別する必要がない場合、単にサムネイル画像１２１と称する。
【０１２５】
なお、図６の下側に示されるように、サムネイル画像１２１を含まないタブ１１１が表示されている状態で、上向きの矢印キーなどが押下されると、図９で示されるように、チャンネルを示す画像とサムネイル画像とからなるタブ１１１が表示されるようにしてもよい。
【０１２６】
また、タブ１１１に表示されるサムネイル画像１２１は、静止画像に限らず、動画像であってもよい。
【０１２７】
さらに、図１０に示されるように、タブ１１１−１乃至タブ１１１−７を表示する場合、タブ表示制御部９２は、表示部４０の画面に上側に、タブ１１１−１乃至タブ１１１−３を順に横に並ぶように表示させ、タブ１１１−１乃至タブ１１１−３の下側に、タブ１１１−４乃至タブ１１１−７を順に横に並ぶように表示させるようにしてもよい。すなわち、タブ表示制御部９２は、タブ１１１を多段タブとして表示するようにタブ１１１の表示を制御するようにしてもよい。
【０１２８】
このようにすることで、所定の長さ以上の横幅のタブ１１１を、より多く表示させることができる。
【０１２９】
なお、図１０のタブ１１１−７は、HDMI（High-Definition Multimedia Interface）（商標）の規格に準拠した端子（コネクタ）であるHDMI端子からの入力を選択するためのタブである。タブ１１１−７には、HDMI端子からの入力を選択することを示す”HDMI”および１であるそのHDMI端子の番号を示す”１”が表示されている。
【０１３０】
また、タブ１１１によって、ネットワーク１３を介してコンテンツサーバ１５から供給される画像データを再生させる場合、コンテンツサーバ１５のアドレスが登録され、タブテーブル９４に、チャンネル番号に代えてコンテンツサーバ１５のアドレスが格納される。例えば、URL（Uniform Resource Locator）で表記されるコンテンツサーバ１５のアドレスがタブテーブル９４に格納される。この場合、タブ１１１には、例えば、そのアドレスが表示されるか、ネットワーク１３を介して提供される画像データである旨が表示される。
【０１３１】
このタブ１１１がカーソル１１２でフォーカスされている状態で、決定キーが押下されて、選択されると、選局処理部９３は、通信部４１に、タブテーブル９４に格納されているコンテンツサーバ１５のアドレスにアクセスさせ、ネットワーク１３を介してコンテンツサーバ１５から供給される画像データを受信させて、デコーダ３８に受信した画像データを復号させる。
【０１３２】
図１１は、タブの削除の処理を説明するフローチャートである。ステップＳ８１において、タブ処理プログラム８１の登録処理部９１は、現在時刻が、タブテーブル９４に登録されているチャンネルで放送される番組の番組終了時刻を過ぎたか否かを判定する。
【０１３３】
例えば、ステップＳ８１において、登録処理部９１は、図示せぬリアルタイムクロックから供給される現在時刻と、タブテーブル９４に登録されているチャンネルで放送される番組の番組終了時刻とを比較して、現在時刻が番組終了時刻を過ぎたか否かを判定する。
【０１３４】
ステップＳ８１において、現在時刻が番組終了時刻を過ぎたと判定された場合、ステップＳ８２に進み、登録処理部９１は、チャンネルの登録を抹消する。例えば、登録処理部９１は、タブテーブル９４に格納されているチャンネル番号、番組タイトル、番組終了時刻、およびサムネイル画像データの組のうち、現在時刻が番組終了時刻を過ぎた、チャンネル番号、番組タイトル、番組終了時刻、およびサムネイル画像データの組を削除することで、放送が終了してしまった番組のチャンネルの登録を抹消する。
【０１３５】
ステップＳ８３において、登録処理部９１は、登録を抹消したチャンネルの番組の画像のサムネイル画像を削除して、処理は終了する。例えば、登録処理部９１は、ステップＳ８２において登録が抹消されたチャンネルについてのサムネイル画像データを一時的に記憶しておいて、ポインタであるそのサムネイル画像データで参照されるサムネイル画像のデータを蓄積部３６から消去させる。
【０１３６】
ステップＳ８１において、現在時刻が番組終了時刻を過ぎていないと判定された場合、タブ１１１を削除する必要はないので、ステップＳ８２およびステップＳ８３はスキップされて、処理は終了する。
【０１３７】
このように、番組が終了すると、終了した番組のチャンネルの登録が抹消されるようにしたので、不要なタブ１１１が表示されることもなく、既に終了してしまった番組のチャンネルを選局するという不要な操作を避けることができ、より確実に、簡単に、所望のチャンネルを選局することができる。
【０１３８】
なお、デジタルテレビジョン放送の放送信号に含まれる番組の終了の通知を基に、番組が終了した場合、終了した番組のチャンネルの登録が抹消されるようにしてもよい。
【０１３９】
このように、番組の画面に重畳させて、チャンネルを選局するタブを表示するようにしたので、チャンネルを選局する場合でも、メニュー画面に遷移したりせず、画面の多くが隠されてしまうこともないので、気軽に使用することができる。
【０１４０】
また、上向きの矢印キーが押下された場合、チャンネルを選局するためのタブ１１１を表示部４０に表示させるようにしたので、操作キー３１または図示せぬリモートコマンダに特別なキーを設ける必要がない。また、矢印キーを押下するだけで、タブ１１１にフォーカスするカーソル１１２を移動させることができるので、視聴者が極めて直感的に操作することができる。さらにまた、表示部４０から視線を外すことなく、チャンネルを選局することができる。
【０１４１】
このように、チャンネルを特定する情報を記憶するようにした場合、この情報を基に、チャンネルを選局することができる。また、予め定めた時間より長く視聴された番組のチャンネルを特定する情報であるチャンネル情報の記憶を制御し、視聴している番組の画像に重畳する、記憶されている前記チャンネル情報で特定されるチャンネルを示すタブの表示を制御し、前記タブが選択された場合、選択された前記タブで示されるチャンネルを選局するように選局を制御するようにした場合、より少ない手順で、より簡単に、より直感的に所望のチャンネルを選局することができる。
【０１４２】
図１２は、上述した一連の処理をプログラムにより実行するパーソナルコンピュータの構成の例を示すブロック図である。CPU（Central Processing Unit）２０１は、ROM（Read Only Memory）２０２、または記憶部２０８に記憶されているプログラムに従って各種の処理を実行する。RAM（Random Access Memory）２０３には、CPU２０１が実行するプログラムやデータなどが適宜記憶される。これらのCPU２０１、ROM２０２、およびRAM２０３は、バス２０４により相互に接続されている。
【０１４３】
CPU２０１にはまた、バス２０４を介して入出力インターフェース２０５が接続されている。入出力インターフェース２０５には、キーボード、マウス、マイクロホンなどよりなる入力部２０６、ディスプレイ、スピーカなどよりなる出力部２０７が接続されている。CPU２０１は、入力部２０６から入力される指令に対応して各種の処理を実行する。そして、CPU２０１は、処理の結果を出力部２０７に出力する。
【０１４４】
入出力インターフェース２０５に接続されている記憶部２０８は、例えばハードディスクからなり、CPU２０１が実行するプログラムや各種のデータを記憶する。通信部２０９は、インターネットやローカルエリアネットワークなどのネットワークを介して外部の装置と通信する。
【０１４５】
また、通信部２０９を介してプログラムを取得し、記憶部２０８に記憶してもよい。
【０１４６】
入出力インターフェース２０５に接続されているドライブ２１０は、磁気ディスク、光ディスク、光磁気ディスク、或いは半導体メモリなどのリムーバブルメディア２１１が装着されたとき、それらを駆動し、そこに記録されているプログラムやデータなどを取得する。取得されたプログラムやデータは、必要に応じて記憶部２０８に転送され、記憶される。
【０１４７】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１４８】
コンピュータにインストールされ、コンピュータによって実行可能な状態とされるプログラムを格納するプログラム記録媒体は、図１２に示すように、磁気ディスク（フレキシブルディスクを含む）、光ディスク（CD-ROM(Compact Disc-Read Only Memory),DVD(Digital Versatile Disc)を含む）、光磁気ディスクを含む）、もしくは半導体メモリなどよりなるパッケージメディアであるリムーバブルメディア２１１、または、プログラムが一時的もしくは永続的に格納されるROM２０２や、記憶部２０８を構成するハードディスクなどにより構成される。プログラム記録媒体へのプログラムの格納は、必要に応じてルータ、モデムなどのインタフェースである通信部２０９を介して、ローカルエリアネットワーク、インターネット、デジタル衛星放送といった、有線または無線の通信媒体を利用して行われる。
【０１４９】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１５０】
なお、本発明の実施の形態は、上述した実施の形態に限定されるものではなく、本発明の要旨を逸脱しない範囲において種々の変更が可能である。
【図面の簡単な説明】
【０１５１】
【図１】本発明のテレビジョン受像機の一実施の形態の構成を示すブロック図である。
【図２】制御プログラムの構成を示すブロック図である。
【図３】タブテーブルの例を示す図である。
【図４】タブの登録の処理を説明するフローチャートである。
【図５】タブの表示の処理を説明するフローチャートである。
【図６】タブの登録の処理およびタブの表示の処理の例を説明する図である。
【図７】タブによる選局の処理を説明するフローチャートである。
【図８】タブによる選局の処理を説明する図である。
【図９】サムネイル画像を含むタブの例を示す図である。
【図１０】多段タブであるタブの例を示す図である。
【図１１】タブの削除の処理を説明するフローチャートである。
【図１２】パーソナルコンピュータの構成の例を示すブロック図である。
【符号の説明】
【０１５２】
１１  テレビジョン受像機，  ３３  制御部，  ３４  チューナ，  ３５  サムネイル画像生成部，  ３６  蓄積部，  ３７  タブOSDデータ生成部，  ３９  画像合成部，  ８１  タブ処理プログラム，  ８２  EPGデータ取得処理部，  ９１  登録処理部，  ９２  タブ表示制御部，  ９３  選局処理部，  ９４  タブテーブル，  ２０１  ＣＰＵ，  ２０２  ＲＯＭ，  ２０３  ＲＡＭ，  ２０８  記憶部，  ２１１  リムーバブルメディア
【図１】
2007311947.tif 000003
【図２】
2007311947.tif 000004
【図３】
2007311947.tif 000005
【図４】
2007311947.tif 000006
【図５】
2007311947.tif 000007
【図６】
2007311947.tif 000008
【図７】
2007311947.tif 000009
【図８】
2007311947.tif 000010
【図９】
2007311947.tif 000011
【図１０】
2007311947.tif 000012
【図１１】
2007311947.tif 000013
【図１２】
2007311947.tif 000014